(57)【要約】【課題】暖房運転起動から室内に温風を吹き出させるまでの時間を短縮させること。【解決手段】室外熱交換器３１と、室内熱交換器１１と、圧縮機３３と、ガスエンジン４１と、ラジエータ５３と、水熱交換器３２と、バイパス配管５５と、を備えたガスヒートポンプ式空気調和装置１の制御方法であって、暖房運転起動時の暖機運転において、前記ガスエンジン４１を定格回転数よりも高い回転数で回転させるようにした。【選択図】図１
2009210159.tif 000002
【特許請求の範囲】
【請求項１】
室外の空気と冷媒との間で熱交換を行う室外熱交換器と、
室内の空気と冷媒との間で熱交換を行う室内熱交換器と、
冷媒を圧縮する圧縮機と、
該圧縮機を駆動するガスエンジンと、
該ガスエンジンの排熱を回収する冷却水と、
該冷却水に回収された熱を外気に放出して該冷却水を前記ガスエンジン側に戻すラジエータと、
前記冷却水に回収された熱を冷媒に回収して該冷却水を前記ガスエンジン側に戻す水熱交換器と、
前記水熱交換器およびラジエータをバイパスして前記冷却水を前記ガスエンジン側に戻すバイパス配管と、を備えたガスヒートポンプ式空気調和装置の制御方法であって、
暖房運転起動時の暖機運転において、前記ガスエンジンを定格回転数よりも高い回転数で回転させることを特徴とするガスヒートポンプ式空気調和装置の制御方法。
【請求項２】
室外の空気と冷媒との間で熱交換を行う室外熱交換器と、
室内の空気と冷媒との間で熱交換を行う室内熱交換器と、
冷媒を圧縮する圧縮機と、
該圧縮機を駆動するガスエンジンと、
該ガスエンジンの排熱を回収する冷却水と、
該冷却水を冷却水系内で循環させる水ポンプと、
該冷却水に回収された熱を外気に放出して該冷却水を前記ガスエンジン側に戻すラジエータと、
前記冷却水に回収された熱を冷媒に回収して該冷却水を前記ガスエンジン側に戻す水熱交換器と、
前記水熱交換器およびラジエータをバイパスして前記冷却水を前記ガスエンジン側に戻すバイパス配管と、
前記冷却水を前記バイパス配管と前記水熱交換器および前記ラジエータのいずれかとに分配する第１水弁と、
前記冷却水を前記水熱交換器と前記ラジエータとに分配する第２水弁と、を備えたガスヒートポンプ式空気調和装置の制御方法であって、
暖房運転終了後、前記第１水弁を前記水熱交換器および前記ラジエータの側に全開とし、前記第２水弁を前記水熱交換器の側に全開として、前記ガスエンジンを通過した冷却水を前記第１水弁に導く配管に接続されたエンジン出口水温センサで計測された値が第１の所定値以下になれば、前記水ポンプの運転を再開し、前記エンジン出口水温センサで計測された値が第２の所定値以上の値を所定時間維持すれば、前記水ポンプを停止させることを特徴とするガスヒートポンプ式空気調和装置の制御方法。
【請求項３】
前記水ポンプの起動、停止にあわせて、吸入口近傍に位置する配管および／または前記水熱交換器の周囲に設けられた加熱手段を作動、停止させることを特徴とする請求項２に記載のガスヒートポンプ式空気調和装置の制御方法。
【請求項４】
室外の空気と冷媒との間で熱交換を行う室外熱交換器と、
室内の空気と冷媒との間で熱交換を行う室内熱交換器と、
冷媒を圧縮する圧縮機と、
該圧縮機を駆動するガスエンジンと、
該ガスエンジンの排熱を回収する冷却水と、
該冷却水に回収された熱を外気に放出して該冷却水を前記ガスエンジン側に戻すラジエータと、
前記冷却水に回収された熱を冷媒に回収して該冷却水を前記ガスエンジン側に戻す水熱交換器と、
前記水熱交換器およびラジエータをバイパスして前記冷却水を前記ガスエンジン側に戻すバイパス配管と、を備えたガスヒートポンプ式空気調和装置であって、
暖房運転起動時の暖機運転において、前記ガスエンジンを定格回転数よりも高い回転数で回転させる制御手段を備えていることを特徴とするガスヒートポンプ式空気調和装置。
【請求項５】
室外の空気と冷媒との間で熱交換を行う室外熱交換器と、
室内の空気と冷媒との間で熱交換を行う室内熱交換器と、
冷媒を圧縮する圧縮機と、
該圧縮機を駆動するガスエンジンと、
該ガスエンジンの排熱を回収する冷却水と、
該冷却水を冷却水系内で循環させる水ポンプと、
該冷却水に回収された熱を外気に放出して該冷却水を前記ガスエンジン側に戻すラジエータと、
前記冷却水に回収された熱を冷媒に回収して該冷却水を前記ガスエンジン側に戻す水熱交換器と、
前記水熱交換器およびラジエータをバイパスして前記冷却水を前記ガスエンジン側に戻すバイパス配管と、
前記冷却水を前記バイパス配管と前記水熱交換器および前記ラジエータのいずれかとに分配する第１水弁と、
前記冷却水を前記水熱交換器と前記ラジエータとに分配する第２水弁と、を備えたガスヒートポンプ式空気調和装置であって、
暖房運転終了後、前記第１水弁を前記水熱交換器および前記ラジエータの側に全開とし、前記第２水弁を前記水熱交換器の側に全開として、前記ガスエンジンを通過した冷却水を前記第１水弁に導く配管に接続されたエンジン出口水温センサで計測された値が第１の所定値以下になれば、前記水ポンプの運転を再開し、前記エンジン出口水温センサで計測された値が第２の所定値以上の値を所定時間維持すれば、前記水ポンプを停止させる制御手段を備えていることを特徴とするガスヒートポンプ式空気調和装置。
【請求項６】
前記水ポンプの起動、停止にあわせて作動、停止する加熱手段が、前記水ポンプの吸入口近傍に位置する配管および／または前記水熱交換器に設けられていることを特徴とする請求項５に記載のガスヒートポンプ式空気調和装置。
【発明の詳細な説明】
【技術分野】
【０００１】
本発明は、圧縮機をガスエンジンによって駆動するとともに、暖房運転時には、当該ガスエンジンの排気ガスを液冷媒の加熱源として利用するガスヒートポンプ式空気調和機に関するものである。
【背景技術】
【０００２】
ヒートポンプを利用して冷暖房を行う空気調和機は、室内熱交換器、圧縮機、室外熱交換器、膨張弁等の要素を含む冷媒回路を備えている。また、冷媒回路中の圧縮機の動力源として、通常使用されている電動機に代わり、例えば、特許文献１，２に開示されたガスエンジンを利用するガスヒートポンプ式空気調和機が開発されている。このガスヒートポンプ式空気調和機によれば、比較的安価であるガスを燃料として利用できるため、電動機を利用した圧縮機を備えた空気調和機のように、ランニングコストがかさむということがなく消費者にとってコストダウンが可能となる。
【特許文献１】特開平１１−２８１１９４号公報
【特許文献２】特開平１１−２８１２０１号公報
【発明の開示】
【発明が解決しようとする課題】
【０００３】
ところで、ガスヒートポンプ式空気調和機の暖房運転において冷媒系に供給される熱源は、空気熱源およびガスエンジンの排気ガス熱源である。
しかしながら、暖房運転起動時には、ガスエンジンの排気ガス熱源の熱媒体である冷却水の温度が、一般的に外気温度程度まで低下しているため、通常運転に入る前にガスエンジンを暖機運転し、冷却水の温度を予め上昇させさせておく必要があり、室内に温風を吹き出させるまでにある程度の時間がかかってしまうといった問題点があった。
【０００４】
本発明は、上記の事情に鑑みてなされたもので、暖房運転起動から室内に温風を吹き出させるまでの時間を短縮させることができるガスヒートポンプ式空気調和装置の制御方法およびガスヒートポンプ式空気調和装置を提供することを目的とする。
【課題を解決するための手段】
【０００５】
本発明は、上記課題を解決するため、以下の手段を採用した。
本発明に係るガスヒートポンプ式空気調和装置の制御方法は、室外の空気と冷媒との間で熱交換を行う室外熱交換器と、室内の空気と冷媒との間で熱交換を行う室内熱交換器と、冷媒を圧縮する圧縮機と、該圧縮機を駆動するガスエンジンと、該ガスエンジンの排熱を回収する冷却水と、該冷却水に回収された熱を外気に放出して該冷却水を前記ガスエンジン側に戻すラジエータと、前記冷却水に回収された熱を冷媒に回収して該冷却水を前記ガスエンジン側に戻す水熱交換器と、前記水熱交換器およびラジエータをバイパスして前記冷却水を前記ガスエンジン側に戻すバイパス配管と、を備えたガスヒートポンプ式空気調和装置の制御方法であって、暖房運転起動時の暖機運転において、前記ガスエンジンを定格回転数よりも高い回転数で回転させるようにした。
【０００６】
本発明に係るガスヒートポンプ式空気調和装置は、室外の空気と冷媒との間で熱交換を行う室外熱交換器と、室内の空気と冷媒との間で熱交換を行う室内熱交換器と、冷媒を圧縮する圧縮機と、該圧縮機を駆動するガスエンジンと、該ガスエンジンの排熱を回収する冷却水と、該冷却水に回収された熱を外気に放出して該冷却水を前記ガスエンジン側に戻すラジエータと、前記冷却水に回収された熱を冷媒に回収して該冷却水を前記ガスエンジン側に戻す水熱交換器と、前記水熱交換器およびラジエータをバイパスして前記冷却水を前記ガスエンジン側に戻すバイパス配管と、を備えたガスヒートポンプ式空気調和装置であって、暖房運転起動時の暖機運転において、前記ガスエンジンを定格回転数よりも高い回転数で回転させる制御手段を備えている。
【０００７】
本発明に係るガスヒートポンプ式空気調和装置の制御方法またはガスヒートポンプ式空気調和装置によれば、暖機運転中の排気ガス温度を上昇させることができ、冷却水の温度上昇時間を短縮させることができるので、暖房運転起動から室内に温風を吹き出させるまでの時間を短縮させることができる。
【０００８】
本発明に係るガスヒートポンプ式空気調和装置の制御方法は、室外の空気と冷媒との間で熱交換を行う室外熱交換器と、室内の空気と冷媒との間で熱交換を行う室内熱交換器と、冷媒を圧縮する圧縮機と、該圧縮機を駆動するガスエンジンと、該ガスエンジンの排熱を回収する冷却水と、該冷却水を冷却水系内で循環させる水ポンプと、該冷却水に回収された熱を外気に放出して該冷却水を前記ガスエンジン側に戻すラジエータと、前記冷却水に回収された熱を冷媒に回収して該冷却水を前記ガスエンジン側に戻す水熱交換器と、前記水熱交換器およびラジエータをバイパスして前記冷却水を前記ガスエンジン側に戻すバイパス配管と、前記冷却水を前記バイパス配管と前記水熱交換器および前記ラジエータのいずれかとに分配する第１水弁と、前記冷却水を前記水熱交換器と前記ラジエータとに分配する第２水弁と、を備えたガスヒートポンプ式空気調和装置の制御方法であって、暖房運転終了後、前記第１水弁を前記水熱交換器および前記ラジエータの側に全開とし、前記第２水弁を前記水熱交換器の側に全開として、前記ガスエンジンを通過した冷却水を前記第１水弁に導く配管に接続されたエンジン出口水温センサで計測された値が第１の所定値以下になれば、前記水ポンプの運転を再開し、前記エンジン出口水温センサで計測された値が第２の所定値以上の値を所定時間維持すれば、前記水ポンプを停止させるようにした。
【０００９】
本発明に係るガスヒートポンプ式空気調和装置は、室外の空気と冷媒との間で熱交換を行う室外熱交換器と、室内の空気と冷媒との間で熱交換を行う室内熱交換器と、冷媒を圧縮する圧縮機と、該圧縮機を駆動するガスエンジンと、該ガスエンジンの排熱を回収する冷却水と、該冷却水を冷却水系内で循環させる水ポンプと、該冷却水に回収された熱を外気に放出して該冷却水を前記ガスエンジン側に戻すラジエータと、前記冷却水に回収された熱を冷媒に回収して該冷却水を前記ガスエンジン側に戻す水熱交換器と、前記水熱交換器およびラジエータをバイパスして前記冷却水を前記ガスエンジン側に戻すバイパス配管と、前記冷却水を前記バイパス配管と前記水熱交換器および前記ラジエータのいずれかとに分配する第１水弁と、前記冷却水を前記水熱交換器と前記ラジエータとに分配する第２水弁と、を備えたガスヒートポンプ式空気調和装置であって、暖房運転終了後、前記第１水弁を前記水熱交換器および前記ラジエータの側に全開とし、前記第２水弁を前記水熱交換器の側に全開として、前記ガスエンジンを通過した冷却水を前記第１水弁に導く配管に接続されたエンジン出口水温センサで計測された値が第１の所定値以下になれば、前記水ポンプの運転を再開し、前記エンジン出口水温センサで計測された値が第２の所定値以上の値を所定時間維持すれば、前記水ポンプを停止させる制御手段を備えている。
【００１０】
本発明に係るガスヒートポンプ式空気調和装置の制御方法またはガスヒートポンプ式空気調和装置によれば、運転停止中のラジエータからの放熱を防止することができ、水ポンプの動力を熱源として冷却水を加熱することができて、冷却水の温度を外気温度よりも十分に高い温度に維持（保持）させることができるので、暖房運転再開時における冷却水の温度上昇時間を短縮させることができて、暖房運転起動から室内に温風を吹き出させるまでの時間を短縮させることができる。
【００１１】
上記ガスヒートポンプ式空気調和装置の制御方法において、前記水ポンプの起動、停止にあわせて、吸入口近傍に位置する配管および／または前記水熱交換器の周囲に設けられた加熱手段を作動、停止させるとさらに好適である。
【００１２】
上記ガスヒートポンプ式空気調和装置において、前記水ポンプの起動、停止にあわせて作動、停止する加熱手段が、前記水ポンプの吸入口近傍に位置する配管および／または前記水熱交換器に設けられているとさらに好適である。
【００１３】
このようなガスヒートポンプ式空気調和装置の制御方法またはガスヒートポンプ式空気調和装置によれば、冷却水を加熱する熱源として、水ポンプ以外に加熱手段を利用することができるので、第１の所定値以下に下がった冷却水の温度を第２の所定値以上に迅速に上昇させることができ、水ポンプの駆動時間を低減させることができて、水ポンプの駆動音を低減させることができる。
【発明の効果】
【００１４】
本発明によれば、暖房運転起動から室内に温風を吹き出させるまでの時間を短縮させることができるという効果を奏する。
【発明を実施するための最良の形態】
【００１５】
以下、本発明に係るガスヒートポンプ式空気調和機の第１実施形態について、図１を参照しながら説明する。図１は本実施形態に係るガスヒートポンプ式空気調和機の概略構成図である。
図１に示すように、ガスヒートポンプ式空気調和機（以下、「ＧＨＰ」という。）１は、大きく室内機ユニット１０および室外機ユニット２０から構成されている。室内機ユニット１０には、冷房運転時に低温低圧の液冷媒を蒸発気化させて室内の空気から熱を奪い、暖房運転時には高温高圧のガス冷媒を凝縮液化させて室内の空気を暖める室内熱交換器１１と、室内の空気を循環させるファン１２とが具備されている。
【００１６】
室外機ユニット２０は、その内部でさらに冷媒回路を構成する冷媒回路部３０と、ガスエンジン４１を中心として、これに付随する機器を備えたガスエンジン部４０の大きく二つの構成部分により構成されている。
【００１７】
冷媒回路部３０内には、室外熱交換器３１、水熱交換器３２、圧縮機３３、アキュムレータ３４、四方弁３５、オイルセパレータ３６、膨張弁３７、およびファン３９が具備されている。室外熱交換器３１は、冷房運転時に高温高圧のガス冷媒を凝縮液化させて屋外の空気に放熱し、逆に暖房運転時には低温低圧の液冷媒を蒸発気化させて屋外の空気から熱を奪う。つまり、冷暖房それぞれの運転時において、室外熱交換器３１は、先の室内熱交換器１１と逆の働きを行うことになる。
【００１８】
水熱交換器３２は、後述するガスエンジン４１の冷却水から冷媒が熱を回収するために設けられている。すなわち、暖房運転時において、冷媒はガスエンジン４１の冷却水から熱を与えられることになるから、暖房運転の効果を高めることが可能となる。
【００１９】
圧縮機３３は、室内熱交換器１１または室外熱交換器３１のいずれかより吸入されるガス冷媒を圧縮して高温高圧のガス冷媒として吐出する。アキュムレータ３４は、圧縮機３３に流入するガス冷媒に含まれる液状成分を貯留するために設けられている。また、四方弁３５は、圧縮機３３において圧縮された高温高圧のガス冷媒を室内熱交換器１１または室外熱交換器３１のいずれかに選択的に送出するために設けられている。オイルセパレータ３６は、冷媒中に含まれる油分を分離するものである。
【００２０】
膨張弁３７は、冷房運転時に室外熱交換器３１から送出される高温高圧の液冷媒を減圧、膨張させて低温低圧の液冷媒とするためのものである。また、ファン３９は、屋外の空気を室外機ユニット２０内部に導入し、室外熱交換器３１および後述するラジエータ５３に流通させるために設けられている。
【００２１】
一方、ガスエンジン部４０には、図示しないＥＣＵ（engine control unit：制御手段）によって制御されるガスエンジン４１を中心として、冷却水系５０、排気ガス系６０、燃料吸入系７０、およびエンジンオイル系８０の四つの系が具備されている。ガスエンジン４１は、冷媒系３０内に設置されている圧縮機３３とシャフトにより直結されており、ガスエンジン４１から圧縮機３３に動力が伝達されるようになっている。
【００２２】
冷却水系５０は、水ポンプ５１、リザーバタンク５２、ラジエータ５３を備え、これらと水熱交換器３２により構成される回路を冷却水が巡ってガスエンジン４１を冷却する系となっている。水ポンプ５１は、ガスエンジン４１の冷却水を回路に循環させるために設けられている。リザーバタンク５２は、この回路を流れる冷却水において、その余剰分を一時貯蔵しておく、あるいは冷却水が回路に不足した場合にそれを供給するためのものである。ラジエータ５３は、室外熱交換器３１と一体的に構成されたものであって、冷却水がガスエンジン４１から奪った熱を外気に放出するために設けられている。
【００２３】
冷却水系５０には、上記した構成の他に排気ガス熱交換器５４が設けられている。これは排気ガスの熱を冷却水に回収するために設けられているものである。また、冷却水系５０には先に説明した水熱交換器３２が備えられ、冷媒系３０および冷却水系５０の両系に跨るように配置されている。これらのことから、暖房運転時には、冷却水はガスエンジン４１から熱を奪うだけでなく排気ガスからも熱を回収し、かつその回収された熱が、冷却水より水熱交換器３２を通して冷媒に与えられる仕組みになっている。
【００２４】
さらに、冷却水系５０には、水熱交換器３２に流入する冷却水をバイパスさせるバイパス配管５５が設けられている。また、水熱交換器３２に冷却水を流通させる経路とバイパス配管５５との分岐には、ＯＮ／ＯＦＦ弁である第１水弁５６が設けられている。さらに、水熱交換器３２に冷却水を流通させる経路とラジエータ５３に冷却水を流通させる経路との分岐には、第２水弁５７が設けられている。第１水弁５６は、冷却水の流路を第２水弁５７側とバイパス配管５５側とに切り換え、第２水弁５７は、水熱交換器３２側とラジエータ５３側とに冷却水を分配する。
第１・第２水弁５６、５７は、図示しないＳＣＵ（system control unit：制御手段）によって制御され、水熱交換器３２、ラジエータ５３、ならびにバイパス配管５５を流通する冷却水の流路を変更する。
【００２５】
排気ガス系６０は、マフラ６１、排気トップ６２、ドレンフィルタ６３を備え、ガスエンジン４１から排出される排気ガスを外部へ導くための系である。マフラ６１は、ガスエンジン４１が排気ガスを排出するときに伴う騒音を吸収するために設けられている。排気トップ６２は、排気ガスに含まれている水分を分離し、これを外部環境に飛散させることのないように設けられている。ドレンフィルタ６３は、いま述べた排気トップ６２から分離された水分を一時貯蔵しておくために設けられている。
【００２６】
燃料吸入系７０は、ガスレギュレータ７１、電磁弁７２、吸気ボックス７３、エアクリーナ７４を備え、ガスエンジン４１に燃料および空気を供給するための系である。ガスレギュレータ７１は、電磁弁７２を介して室外ユニット２０の外部から供給されるガスの送出圧力を調整するために設けられている。一方、吸気ボックス７３は、室外ユニット２０外部から空気を取り入れるために設けられている。また、吸気ボックス７３は、吸気の際の騒音の発生を抑制する働きも担っている。エアクリーナ７４は、このように吸入された空気から塵埃を取り除くために設けられている。
【００２７】
エンジンオイル系８０はオイルサブタンク８１を備え、ガスエンジン４１に潤滑油を供給するために設けられている。ガスエンジン４１下部には、このオイルサブタンク８１内のオイルを受け入れるためにオイルパン４１ａが設けられている。
【００２８】
次に、上記の構成となるＧＨＰ１において、室内冷房および暖房のそれぞれの運転時の作用について説明する。まず、冷房運転時において、冷媒回路部３０の四方弁３５は、圧縮機３３と室外熱交換器３１、室内熱交換器１１とアキュムレータ３４、がそれぞれ接続された状態となっている。この状態では、圧縮機３３より吐出された高温高圧のガス冷媒は室外熱交換器３１に送られる。
【００２９】
高温高圧のガス冷媒は室外熱交換器３１で凝縮液化され、屋外の空気に放熱して高温高圧の液冷媒となる。さらにこの高温高圧の液冷媒は膨張弁３７を通過する過程で減圧されて低温低圧の液冷媒となり、次いで室内熱交換器１１で蒸発気化される。冷媒は室内の空気から熱を奪って冷却したのち低温低圧のガス冷媒となり、四方弁３５を経てアキュムレータ３４に流入し、液状成分が分離されて圧縮機３３に吸入される。圧縮機３３に吸入されたガス冷媒は圧縮機３３の作動により圧縮され、高温高圧のガス冷媒となって再び室外熱交換器３１に送られる。
【００３０】
一方、暖房運転時においては、四方弁３５は圧縮機３３と室内熱交換器１１、水熱交換器３２とアキュムレータ３４、がそれぞれ接続された状態となっている。この状態では、圧縮機３３より吐出された高温高圧のガス冷媒は室内機ユニット１０の室内熱交換器１１に送られる。高温高圧のガス冷媒は室内熱交換器１１で凝縮液化され、室内の空気に放熱して暖めたのち、高温高圧の液冷媒となって水熱交換器３２へと流入する。水熱交換器３２においては、高温高圧の液冷媒は冷却水から熱を奪い蒸発気化して低温低圧のガス冷媒となる。このガス冷媒は、アキュムレータ３４に流入し液状成分が分離されたのち圧縮機３３に吸入される。圧縮機３３に吸入されたガス冷媒は圧縮され、高温高圧のガス冷媒となって再び室内熱交換器１１に送られる。
【００３１】
ガスエンジン４１は、冷房運転時、暖房運転時に関わらず圧縮機３３に動力を伝達するために駆動状態にあり、冷却水系５０では、排気ガス熱交換器５４における排熱回収ならびにガスエンジンにおけるエンジン冷却が常時行われている。そして、排熱を回収した後ガスエンジンを通過して加熱された冷却水は、冷却水系５０を構成する配管５０ａを通じてラジエータ５３、水熱交換器３２に流通される。
【００３２】
さて、本実施形態に係るＧＨＰ１のＥＣＵは、暖房運転起動時の暖機運転において、ガスエンジン４１の回転数を定格回転数よりも高い回転数（例えば、定格回転数の１．１倍程度）に設定（制御）するものである。
また、このＥＣＵは、ＳＣＵから送られてきた暖機運転解除信号を受け取る（が入力される）ことにより、ガスエンジン４１を通常運転（すなわち、定格回転数で運転）させるように構成（プログラム）されている。
【００３３】
本実施形態に係るＧＨＰ１によれば、暖機運転中の排気ガス温度を上昇させることができ、冷却水の温度上昇時間を短縮させることができるので、暖房運転起動から室内に温風を吹き出させるまでの時間を短縮させることができる。
【００３４】
本発明に係るＧＨＰの第２実施形態について、図２を参照しながら説明する。
図２は本実施形態に係るガスヒートポンプ式空気調和機の冷却水回路の主要部を示す図である。
本実施形態に係るＧＨＰ９１のＳＣＵは、暖房運転が終了してガスエンジン４１および水ポンプ５１が停止したら、第１水弁５６を放熱側（第２水弁５７の側）に全開とし、第２水弁５７を水熱交換器３２の側に全開として、ガスエンジン４１を通過した冷却水を第１水弁５６に導く配管５０ａに接続されたエンジン出口水温センサ９２で計測された値が所定値（例えば、７０℃）以下になれば、水ポンプ５１の運転を再開して、水ポンプ５１の動力を熱源として冷却水を加熱し、エンジン出口水温センサ９２で計測された値が所定値（例えば、９０℃）以上の値を所定時間（例えば、１０秒間）維持（保持）していれば、水ポンプ５１を停止させるものである。
【００３５】
本実施形態に係るＧＨＰ９１によれば、運転停止中のラジエータ５３からの放熱を防止することができ、冷却水の温度を外気温度よりも十分に高い温度に維持（保持）させることができるので、暖房運転再開時における冷却水の温度上昇時間を短縮させることができて、暖房運転起動から室内に温風を吹き出させるまでの時間を短縮させることができる。
【００３６】
本発明に係るＧＨＰの第３実施形態について、図３を参照しながら説明する。
図３は本実施形態に係るガスヒートポンプ式空気調和機の冷却水回路の主要部を示す図である。
本実施形態に係るＧＨＰ１０１は、水ポンプ５１の吸入口近傍に位置する配管５０ａに、加熱手段（例えば、電気ヒータ）１０２が設けられている（巻き付けられている）という点で上述した第２実施形態のものと異なる。その他の構成要素については上述した第２実施形態のものと同じであるので、ここではそれら構成要素についての説明は省略する。
【００３７】
加熱手段１０２は、暖房運転終了後に、ガスエンジン４１→第１水弁５６→第２水弁５７→水熱交換器３２→水ポンプ５１→ガスエンジン４１の順に循環する冷却水を加熱する熱源となるものであり、ＳＣＵによって制御される。
【００３８】
本実施形態に係るＧＨＰ１０１によれば、冷却水を加熱する熱源として、水ポンプ５１以外に加熱手段１０２を利用することができるので、所定値（例えば、７０℃）以下に下がった冷却水の温度を所定値（例えば、９０℃）以上に迅速に上昇させることができ、水ポンプ５１の駆動時間を低減させることができて、水ポンプ５１の駆動音を低減させることができる。
【００３９】
本発明に係るＧＨＰの第４実施形態について、図４を参照しながら説明する。
図４は本実施形態に係るガスヒートポンプ式空気調和機の冷却水回路の主要部を示す図である。
本実施形態に係るＧＨＰ１１１は、水熱交換器３２の周囲に、加熱手段（例えば、電気ヒータ）１１２が設けられている（巻き付けられている）という点で上述した第２実施形態のものと異なる。その他の構成要素については上述した第２実施形態のものと同じであるので、ここではそれら構成要素についての説明は省略する。
【００４０】
加熱手段１１２は、暖房運転終了後に、ガスエンジン４１→第１水弁５６→第２水弁５７→水熱交換器３２→水ポンプ５１→ガスエンジン４１の順に循環する冷却水を加熱する熱源となるものであり、ＳＣＵによって制御される。
【００４１】
本実施形態に係るＧＨＰ１１１によれば、冷却水を加熱する熱源として、水ポンプ５１以外に加熱手段１１２を利用することができるので、所定値（例えば、７０℃）以下に下がった冷却水の温度を所定値（例えば、９０℃）以上に迅速に上昇させることができ、水ポンプ５１の駆動時間を低減させることができて、水ポンプ５１の駆動音を低減させることができる。
【００４２】
なお、本発明は上述した実施形態に限定されるものではなく、本発明の技術的思想を逸脱しない範囲で、適宜必要に応じて変形実施、変更実施、および組合せて実施することができる。
例えば、上述した第１実施形態では、ガスエンジン４１を定格回転数よりも高い回転数で運転することにより、暖機運転中の排気ガス温度を上昇させるようにしているが、本発明はこれに限定されるものではなく、点火時期を、例えば、５度程度遅らせるようにして燃焼効率を悪化させて、暖機運転中の排気ガス温度を上昇させてもよい。
【００４３】
また、上述した実施形態において、図示しない外気温度センサで計測された値が所定値（例えば、１０℃）以下である場合に、暖機運転中の排気ガス温度を上昇させたり、あるいは暖房運転終了後に、ガスエンジン４１→第１水弁５６→第２水弁５７→水熱交換器３２→水ポンプ５１→ガスエンジン４１の順に循環する冷却水を加熱するようにしてもよい。
【図面の簡単な説明】
【００４４】
【図１】本発明の第１実施形態に係るガスヒートポンプ式空気調和機の概略構成図である。
【図２】本発明の第２実施形態に係るガスヒートポンプ式空気調和機の冷却水回路の主要部を示す図である
【図３】本発明の第３実施形態に係るガスヒートポンプ式空気調和機の冷却水回路の主要部を示す図である
【図４】本発明の第４実施形態に係るガスヒートポンプ式空気調和機の冷却水回路の主要部を示す図である
【符号の説明】
【００４５】
１    ガスヒートポンプ式空気調和装置
１１    室内熱交換器
３１    室外熱交換器
３２    水熱交換器
３３    圧縮機
４１    ガスエンジン
５０ａ  配管
５１    水ポンプ
５３    ラジエータ
５５    バイパス配管
５６    第１水弁
５７    第２水弁
９１    ガスヒートポンプ式空気調和装置
９２    エンジン出口水温センサ
１０１    ガスヒートポンプ式空気調和装置
１０２    加熱手段
１１１    ガスヒートポンプ式空気調和装置
１１２    加熱手段
【図１】
2009210159.tif 000003
【図２】
2009210159.tif 000004
【図３】
2009210159.tif 000005
【図４】
2009210159.tif 000006